(57)【要約】【課題】  半重量物を人力で所定位置に移動させ、モーターを介して上下方向に移動させて良好に作業できる手押し台車を提供する。【解決手段】  左右二輪の車輪７ａを備え、上部に手押し用の握手部４が設けられたフレーム２ａには、上下動可能に昇降テーブル１０が設けられ、この昇降テーブル１０は、バッテリー電源で駆動されるウォームギア１６付き昇降モーター１７で、チェーン１５を介しウインチドラム１３を回転させて、ワイヤー１９ａを巻き上げることにより昇降されるように構成されている。【選択図】        図１
2005075248.tif 000002
【特許請求の範囲】
【請求項１】
左右二輪の車輪を備え、上部に手押し用の握手部が設けられたフレームには、上下動可能に昇降テーブルが設けられ、該昇降テーブルは、バッテリー電源で駆動されるウォームギア付き昇降モーターでウインチドラムを回転させてワイヤーを巻き上げることにより昇降される構成としたことを特徴とする手押し台車。
【請求項２】
前記ワイヤーは、左右対称位置に配設された左右の滑車を介し、前記昇降テーブルの平行度を保つように左右対称に配設されていることを特徴とする請求項１に記載の手押し台車。
【請求項３】
前記フレームの下端には、手押し台車を自立させることのできる補助フレームが、前記昇降テーブルとほぼ平行状に突設されていることを特徴とする請求項１または請求項２に記載の手押し台車。
【請求項４】
前記車輪の回転により発電し得る交流発電機を備え、該交流発電機で発電された交流を直流に変換して前記バッテリーを充電できるように構成したことを特徴とする請求項１に記載の手押し台車。
【発明の詳細な説明】
【技術分野】
【０００１】
本発明は、半重量物を移動及び上下動させることのできる手押し台車に関するものである。
【背景技術】
【０００２】
従来、工場内または店舗内で２０kg〜２５kg程度の半重量物を所定位置へ移動させるために、例えば特許文献１に開示されているような手押し台車が用いられている。
【特許文献１】特開平１０−０３５５００号公報
【発明の開示】
【発明が解決しようとする課題】
【０００３】
しかし、従来のような手押し台車においては、所定の位置まで移動させた状態で、人が半重量物を持ち上げて所定の作業台とか棚等に移しており、半重量物を持ち上げる作業が必要であり、特にハンディキャップを持った人には持ち上げが困難であるという問題点があった。
【課題を解決するための手段】
【０００４】
本発明は上記従来の問題点に鑑み案出したものであって、所定位置まで良好に移動させ、かつ所定位置で上下方向に良好に持ち上げできる手押し台車を提供せんとするものであり、請求項１は、左右二輪の車輪を備え、上部に手押し用の握手部が設けられたフレームには、上下動可能に昇降テーブルが設けられ、該昇降テーブルは、バッテリー電源で駆動されるウォームギア付き昇降モーターでウインチドラムを回転させてワイヤーを巻き上げることにより昇降される構成としたことである。
また、請求項２は、前記ワイヤーは、左右対称位置に配設された左右の滑車を介し、前記昇降テーブルの平行度を保つように左右対称に配設されていることである。
また、請求項３は、前記フレームの下端には、手押し台車を自立させることのできる補助フレームが、前記昇降テーブルとほぼ平行状に突設されていることである。
また、請求項４は、前記車輪の回転により発電し得る交流発電機を備え、該交流発電機で発電された交流を直流に変換して前記バッテリーを充電できるように構成したことである。
【発明の効果】
【０００５】
本発明は、左右二輪の車輪を備え、上部に手押し用の握手部が設けられたフレームには、上下動可能に昇降テーブルが設けられ、昇降テーブルは、バッテリー電源で駆動されるウォームギア付き昇降モーターでウインチドラムを回転させてワイヤーを巻き上げることにより昇降される構成であることにより、握手部を手で持ってフレームを若干傾動させた状態で、容易に車輪を介し前進または後退させて所定位置へ移動することができ、所定位置でウォームギア付き昇降モーターを駆動させ、ウインチドラムを回転させてワイヤーを巻き上げ、良好に昇降テーブルを上昇させて荷物を上下動させることができ、棚とか作業台上に荷物を良好に載せることができるものとなる。
また、電動式であるため操作が楽に行え、従来のように荷物を持ち上げる必要がなく、ハンディキャップを持った人でも良好に作業できるものとなる。
【０００６】
また、ワイヤーは、左右対称位置に配設された左右の滑車を介し、昇降テーブルの平行度を保つように左右対称に配設されていることにより、滑車を介しワイヤーは左右から垂直方向に昇降テーブルを上下動させることができ、昇降テーブルの昇降がスムーズに行われるものとなる。
【０００７】
また、フレームの下端には、補助フレームが突設されていることにより、補助フレームを床面等に当接させた状態で、良好に手押し台車を自立させておくことができるものとなる。
【０００８】
また、車輪の回転により発電し得る交流発電機を備え、交流発電機で発電された交流を直流に変換してバッテリーを充電できるように構成したことにより、手押し台車を手で押して前進または後退する際に、車輪の回転で発電され、良好にバッテリーが充電されるため、台車の移動時には常にバッテリーを充電可能であり、バッテリーを小型軽量なものとすることができる。
【実施例】
【０００９】
以下、本発明の実施例を図面に基づいて説明する。
図１は、手押し台車の側面図であり、また図２は、図１のＡ方向矢視図である。
また図３は、手押し台車の平面概略構成図である。さらに図４は、バッテリー，昇降モーター，交流発電機の接続関係を示す概略配線構成図である。
【００１０】
図において、手押し台車１は、左右の縦フレーム２ａ，２ｂの上側及び下側に、横方向に上横フレーム３ａ，下横フレーム３ｂが枠組み状に設けられてフレームを形成しており、フレームの下端側には、左右の車輪アーム６ａ，６ｂにそれぞれ軸８ａを介し回転可能にタイヤ７ａ，７ｂが設けられている。
また、フレームの上端側には、後方側へコの字状に突出して、手で握り押すことのできる握手部４が設けられており、この握手部４の中央部には、操作用の操作スイッチ５が設けられている。
【００１１】
前記左右の縦フレーム２ａ，２ｂには、それぞれ前方側よりスライドガイド９ａ，９ｂが上下摺動可能に係合されており、この左右のスライドガイド９ａ，９ｂの前面には昇降テーブル１０が取り付けられている。
この昇降テーブル１０は、絞り加工して強度を高めた４００mm×４００mm程度の鋼板で形成されており、その上面には３０kg以上の半重量物を載せることができるように設計されている。
【００１２】
なお、昇降テーブル１０のスライドガイド９ａ，９ｂ側は、Ｌ字状に上方へ立ち上げられた立上固定部１０ａとなっており、この立上固定部１０ａが左右のスライドガイド９ａ，９ｂに固定されている。
従って、左右のスライドガイド９ａ，９ｂが左右の縦フレーム２ａ，２ｂに沿って上下方向に摺動移動することにより、昇降テーブル１０は上下方向に移動されるものであり、上下方向移動量は約８００mm程度のストロークに設定されている。
【００１３】
また、フレームの下端側には、昇降テーブル１０と略平行状に前方側へ突出して補助フレーム１１が設けられている。
即ち、補助フレーム１１は、左右の縦フレーム２ａ，２ｂのそれぞれの下端に前方側へ突出して設けられており、この補助フレーム１１，１１を床面に当接させた状態で、良好に手押し台車１を自立させることができるように構成されている。
【００１４】
なお、前記上横フレーム３ａの中心部には、下方側へ垂下状に垂下片１２が設けられており、この垂下片１２の下端にはウインチドラム１３が回転可能に設けられている。
このウインチドラム１３の後端には同軸状に上チェーンホイール１４ａが連結されている。
また、下横フレーム３ｂの下部には、下チェーンホイール１４ｂが設けられ、この下チェーンホイール１４ｂと上チェーンホイール１４ａ間にはチェーン１５が掛装されており、チェーン１５の前面側は安全のためにカバーＫで覆蓋されている。
【００１５】
前記下チェーンホイール１４ｂには、同軸状にギア１８が設けられており、このギア１８は、昇降モーター１７で回転されるウォームギア１６に噛合されている。
昇降モーター１７は、搭載されたバッテリー２２からの直流電源で駆動されるものであり、昇降モーター１７が駆動されることによりウォームギア１６を介してギア１８，下チェーンホイール１４ｂが回転され、チェーン１５を介し上チェーンホイール１４ａが回転されて、前記ウインチドラム１３が回転されるように構成されており、昇降モーター１７を逆転させることによりウインチドラム１３を逆方向に回転させることができるように構成されている。
なお、昇降モーター１７の駆動は、前記操作スイッチ５の入・切操作で行えるものである。
【００１６】
ウインチドラム１３には、左右側からワイヤー１９ａ，１９ｂが巻装されており、ウインチドラム１３を時計方向に回転させることにより、左右のワイヤー１９ａ，１９ｂを巻き上げることができ、逆転させることにより巻き戻すことができるものである。
左右のワイヤー１９ａ，１９ｂは、ウインチドラム１３を中心として左右対称に配置されており、上横フレーム３ａには、左右対称位置に上滑車２０ａ，２０ｂがそれぞれ設けられ、また、昇降テーブル１０の立上固定部１０ａの裏側にも、左右対称な位置に下滑車２１ａ，２１ｂが配置されており、左右のワイヤー１９ａ，１９ｂは、ウインチドラム１３から上滑車２０ａ，２０ｂに巻装され、さらに下滑車２１ａ，２１ｂに巻装されて、左右のワイヤー１９ａ，１９ｂの上端は、上横フレーム３ａにワイヤー固定部１９Ｐ，１９Ｐで固定されている。
【００１７】
このように、滑車２０ａ，２０ｂ，２１ａ，２１ｂを介して左右のワイヤー１９ａ，１９ｂは長い距離に亘り左右対称に配設されており、ウインチドラム１３により左右のワイヤー１９ａ，１９ｂが同時に巻き上げられることで、左右のワイヤー１９ａ，１９ｂを介し昇降テーブル１０は平行度を保ちながら上昇できるものであり、従って、スライドガイド９ａ，９ｂはスムーズに縦フレーム２ａ，２ｂに沿って上昇できるものである。
このように左右対称に配設されたワイヤー１９ａ，１９ｂを介して昇降テーブル１０を平行度を保ちながら垂直に上昇，下降させることができ、また、左右のワイヤー１９ａ，１９ｂは長い距離に亘り配設されているため、上昇スピードは遅くなるが、その分、昇降モーター１７は小型のものを用いることができるものとなる。
【００１８】
なお、操作スイッチ５を入・切して、所定の高さで昇降テーブル１０を停止させることができるものである。
即ち、昇降モーター１７はウォームギア１６を備えているため、所定高さに昇降テーブル１０が停止された状態で良好に停止状態を維持することができ、昇降テーブル１０が勝手に下降することがウォームギア１６により防がれるものである。
【００１９】
なお、図２に示すように、左側のタイヤ７ａの軸８ａの内側に、軸ギア２３を設け、この軸ギア２３に噛合するギア２４で増速させて、交流発電機２５を回転させるように構成されている。
即ち、タイヤ７ａが前進または後退時に回転することで、良好に交流発電機２５が回転されて、発電できるように構成されている。
【００２０】
図４の概略配線図で示すように、交流発電機２５により発電された交流電流は、整流器２７を介して直流に変換されて、バッテリー２２に供給され、良好にバッテリー２２が充電されるように構成されている。
なお、交流発電機２５で発電された交流を直流に変換してバッテリー２２を充電するものであるため、台車の前進，後退の何れの時にも良好にバッテリー２２を充電できるものである。即ち、人力にて手押し台車１が移動している時には、常にバッテリー２２が充電可能な構造となっている。
なお、バッテリー２２の消耗が激しい時には、交流１００ボルト電源にプラグ２８を差し込み、倍圧変流器２６で直流１２ボルトに変換させて、バッテリー２２を急速に充電することが可能である。
【００２１】
なお、図４に示すように、バッテリー２２は、操作スイッチ５を介在させて昇降モーター１７に接続されている。
【図面の簡単な説明】
【００２２】
【図１】手押し台車の側面構成図である。
【図２】図１のＡ方向矢視図である。
【図３】手押し台車の平面構成図である。
【図４】バッテリーと交流発電機，昇降モーターとの配線状態を示す概略配線構成図である。
【符号の説明】
【００２３】
１  手押し台車
２ａ，２ｂ  縦フレーム
３ａ  上横フレーム
３ｂ  下横フレーム
４  握手部
５  操作スイッチ
６ａ，６ｂ  車輪アーム
７ａ，７ｂ  タイヤ
８ａ  軸
９ａ，９ｂ  スライドガイド
１０  昇降テーブル
１０ａ  立上固定部
１１  補助フレーム
１２  垂下片
１３  ウインチドラム
１４ａ  上チェーンホイール
１４ｂ  下チェーンホイール
１５  チェーン
１６  ウォームギア
１７  昇降モーター
１８  ギア
１９ａ，１９ｂ  ワイヤー
１９Ｐ  ワイヤー固定部
２０ａ，２０ｂ  上滑車
２１ａ，２１ｂ  下滑車
２２  バッテリー
２３  軸ギア
２５  交流発電機
２６  倍圧変流器
２７  整流器
２８  プラグ
【図１】
2005075248.tif 000003
【図２】
2005075248.tif 000004
【図３】
2005075248.tif 000005
【図４】
2005075248.tif 000006